(57)【要約】 【解決手段】  弁当を購入する際に併せてこれに見合った飲料を購入する場合、予め当該弁当容器にコップ本体を備える事で、仮令えばご婦人や子供にあってこれを所望する際に、所謂喇叭（ラッパ）飲みを防ぐこと。【構成】弁当容器にあって高さ方向に伸縮できるコップ本体を備え、かつコップ本体は、その側面周囲を水平方向の蛇腹状となしてなる。【選択図】図1
2006143284.tif 000002
【特許請求の範囲】
【請求項１】
高さ方向に伸縮できるコップ本体（１）を備えたことが特徴の弁当容器。
【請求項２】
請求項１におけるコップ本体（１）は、その側面周囲を水平方向の蛇腹状としたことが特徴の弁当容器。
【請求項３】
請求項１におけるコップ本体（１）は、その側面周囲をスパイラルな蛇腹状としたことが特徴の弁当容器。
【請求項４】
上記コップ本体（１）は、弁当容器本体（２）の高さより、その高さ方向が縮められた状態で弁当容器本体（２）内に収容されていることが特徴の上記請求項１乃至３に示した弁当容器。
【請求項５】
上記コップ本体（１）は、弁当容器本体（２）に隣接して備えられていることが特徴の上記請求項１乃至４に示した弁当容器。
【発明の詳細な説明】
【技術分野】
【０００１】
本発明は列車などで販売されるお弁当の容器の改良であって、特にお茶や水などの飲用に用いられるコップを備えた弁当の容器に関する。
【背景技術】
【０００２】
ご飯や、サンドイッチなどの弁当を食べるとき、お茶やミネラルウォーターや各種ジュースを飲むのが常であって、多くの場合当該弁当とは別にお茶やジュースをボトルの状態で購入することになる。
【０００３】
しかし、数多くの弁当を購入したい場合、当該弁当と数多くのボトルを一人で搬送することは困難であり、またサンドイッチには牛乳とか、幕の内弁当にはお茶とか、その弁当に見合った飲料を購入することができない事態もあり、また仮に購入できたとしても食事中にこのボトルの飲料を飲むときは、所謂喇叭（ラッパ）飲みとなって、これはご婦人、子供には大変体裁が悪いものであった。
【０００４】
そこで弁当箱とスプーン・フォーク・箸等の補助具を同時に収納できるランチクロスの先行技術例として、ランチクロスの一角に基盤を設け、基盤の折り返し部よりカバー部を折り返し、ボタン雄片とボタン雌片を嵌合し袋体を形成する。この袋体開口部よりスプーン・フォーク・箸等の補助具を入れて収納できるようにした発明はある。（特許文献１参考）
【０００５】
そこで、弁当の容器内にコップを入れ、あるいは当該弁当に見合った飲み物の容器も入れればよいのであるが、かかる容器の表面の一部        から上方にボトルやコップの上部が突出して、重ねることができずその搬送にも、販売の為の展示にも全て不向きである。
【特許文献１】特開２００４−２６７７０３号要約
【発明の開示】
【発明が解決しようとする課題】
【０００６】
本発明の目的は、上記の欠点を全て除去するものである。
【課題を解決するための手段】
【０００７】
而して本発明の特徴とするところは、かかる弁当容器本体（２）に高さ方向が伸縮できるコップ本体（１）を備えたことである。
【０００８】
また、他の特徴としては上記コップ本体（１）の側面周囲を水平方向の蛇腹状、蛇腹のまたはスパイラル状としたことである。
【０００９】
また他の特徴としては、上記コップ本体（１）は、弁当容器本体（２）の高さより、その高さ方向が縮められた状態で弁当容器本体（２）内に収容されていることである。
【００１０】
なお、上記コップ本体（１）は、弁当容器本体（２）に隣接して備えてもよい。
【発明の効果】
【００１１】
而して本発明で提供される弁当容器は、これにコップ本体（１）を備えたものであるから、弁当の購入と同時にボトルのお茶やミネラルウォーターを飲みたい場合でも、当該コップにお茶やミネラルウォーターを注いでコップより飲むことができるのであり、ボトルから直接飲料を飲みつつ弁当を食するのと異なり、体裁よく美味しく弁当をいただくことができるのである。
【００１２】
またこの場合、上記コップ本体（１）はその周囲を蛇腹状あるいは蛇腹のスパイラル状としてあるから、かかるコップ本体を弁当容器本体（２）に備な合える際、かかるコップ本体（１）をその垂直方向から押圧、あるいは旋廻方向に押圧してその高さを縮小させ得るようになっている。
【００１３】
従ってこのコップ本体（１）は弁当容器本体（２）の高さと同等あるいはそれより少し低い高さとすることができるので、当該コップ本体（１）が弁当容器本体（２）の表面より突出することなく、全体が略直方体状となって体裁がよいばかりか積重ねて搬送や販売の為の展示ができ荷崩の虞もない。
【００１４】
さらにコップ本体（１）の上記蛇腹状の形状は、これを手にもって飲料を飲み干すとき、手の指と蛇腹形状がよく馴み、コップ本体（１）が手などから滑り落ちるなどの不祥事を未然に防止できるのである。
【００１５】
なお、上記弁当と一緒に飲用するお茶やミネラルウォーターや、ジュースなどが封入された容器は、これを弁当容器本体（１）内に装入したものでもよく、この場合たとえば幕の内弁当ならお茶、サンドイッチなら牛乳と、その弁当の内容に見合ったものとすることで、当該弁当に見合った飲料が売り切れていたり、無かったりすることが防止されるのである。
【発明を実施するための最良の形態】
【００１６】
【実施例１】
【００１７】
図１で、（２）は略直方体状の弁当容器本体であり、通常の多くはご飯（３）おかず（４）が仕切り（５）で仕切られ平面状に設けられている。
【００１８】
（６）はかかる弁当容器本体（２）内の一例に設けたコップ本体（１）の収容部であり、コップ本体（１）が収められている。この場合かかるコップ本体（１）の収容部（６）は、弁当容器本体（２）とは別の収容部あるいは箱、若しくはコップ本体（１）は露出させ、所謂ラップのような包装材料で一体的に包装するようなものであってもよい。
【００１９】
ただこの場合、収容部（６）及びコップ本体（１）の高さは弁当容器本体（２）の高さと同等であることが好ましい。
【００２０】
なお、図中（７）は、弁当容器本体（２）内に設けられたお湯などが封入されたタンクであり、（８）は、袋入りの粉末などの茶である。
【００２１】
このためにコップ本体（１）は図示のように水平方向の蛇腹状（９）あるいは垂直方向スパイラルの蛇腹状であってもよい。
【００２２】
図の４ではコップ本体（１）の一例を示した。これは本体で上端部が開放され、高さ（長さ）方向の外周と内周は蛇腹状（９）となっている。
【００２３】
このコップ本体（１）は図１でみられるように弁当容器本体（２）内に入るときは、その高さ（長さ）方向にその一方からあるいは両方から押し潰して装入した状態を示した。
【００２４】
即ち本発明はこのようなコップ本体（１）を押し潰した状態とするため及び潰れた状態を保つため秀れた構成を有し、秀れた作用を発揮するのである。
【００２５】
この場合上記各襞は、アダムスキー（Aｄａｍｓｋｉ）型と呼ばれる未確認飛行物体（ＵＦＯ）のような形状をしており、従って水平方向の上下に２分されたような形状となっている。
【００２６】
この時図８で上記第１段の蛇腹状の外径（２Ａ）の下（ｈ１）の高さは５.５ｍｍ，第２段の蛇腹状の外径（２Ｂ）の上（ｈ１）は７ｍｍ，下は（ｈ２）６ｍｍ，第３段の蛇腹状の外径（２Ｃ）のそれは上が８.５ｍｍ，下が６.５ｍｍとなした。
【００２７】
より具体的に上記蛇腹状はその断面形状、特に肉厚が重要な構成のポイントとなっており、それは図７で示している。
【００２８】
即ち上記蛇腹状（９）を構成する谷部（Ｐ）の肉厚が、同山部（Ｑ）の肉厚との比較に於て、厚く造型されていることであり、具体的な例としては谷部（Ｐ）の肉厚は、０.４９ｍｍであり、山部（Ｐ）の肉厚は０.２７ｍｍ，この谷部（Ｐ）と山部（Ｑ）との略中間部の厚さは０.３９ｍｍとした。
【００２９】
また１２図で示した形状のものは、上記谷部（Ｐ）よりさらにコップ本体（１）の軸線方向に突出させて環状の窪み（Ｒ）を設けたことであり、この窪み（Ｒ）はその直径が０．５乃至３．０ｍｍ、わけても図４のコップ本体（１）では、１．０ｍｍが最適であることが解っている。
【００３０】
なお図１１は、図１２の構成のものに比べてさらに改良したもので、上記谷部（Ｐ）にあって上記窪み（Ｒ）にその内端部に連なり、かつ蛇腹状（９）を構成する襞の上辺および下辺の内方向に湾状の凹み（Ｔ）（Ｕ）を設けたものである。
【００３１】
この場合上記湾状の凹み（Ｔ）（Ｕ）は２乃至５ｍｍ程度で、８乃至１５ｍｍＲの湾状が好ましいが、特に上記窪み（Ｒ）も加えてその長さが約３．５ｍｍで１２ｍｍＲが最もよい。
【００３２】
さて、コップ本体（１）の成型が完了して、これを充填工場に搬送する時あるいは内容物を飲み干しコップ本体（１）を手（Ｇ）（Ｈ）の平（ひら）間に垂直に置き、コップ本体（１）の中間方向に両手（Ｇ）（Ｈ）で押圧すると、図１のようにコップ本体（１）は押し潰されたような状態となる。
【００３３】
このとき、コップ本体（１）の胴部に形成した蛇腹状（９）としたから、丁度柔らかい胴部（Ａ）を押し潰すことになり、その押し潰す動作に大きな力を要せず、各蛇腹状（９）部は順次折り畳まれた状態となることにより、簡単に弁当本体（２）の収容部（６）に収容できるばかりか、これを使用するときは図６のように上記とは逆の引き伸ばす作用でコップ本体（１）を構成することができ、幼児でも老人でも簡単にその嵩（高さ）を拡大できるようになったのである。
【００３４】
さらに本発明の実施例ではより容易に潰すための多くの工夫がある。即ちまず図１０，１４で示す状態からコップ本体（１）の襞を押圧すると、谷部（Ｐ）の端面が上下の関係で隣に位置する襞の谷の端面を圧縮することになる。この時点で襞の山部（Ｑ）の頂点からみた状態では、両側の谷部（Ｐ）がこの山部（Ｑ）の頂点側に押し寄せられたことに相当しこの際、襞の上面は下面に対して緩傾斜側の圧縮分力は傾斜が少ない為、かつ下面の急傾斜側の圧縮分力より大きいことから、急傾斜側の谷部（Ｐ）が山部（Ｑ）の頂点側に移動したことになる。
【００３５】
いまこの実施例で、コップ本体（１）の蛇腹状（９）の皺には２つの大きな変化が生じている。
【００３６】
即ちその第１は、図１３のように上記襞を構成する山部（Ｑ）の内径が拡大圧力で増加、あるいは谷部（Ｐ）の内径が圧縮圧力で減少すること、その第２は、襞を構成する下面の急傾斜面が屈曲することである。
【００３７】
続いてこの急傾斜側が山部（Ｑ）直下を通過して、さらに図でみられるように上面の緩傾斜側の内側に潜り込んで、コップ本体（１）の高さを短縮状態まで移動させると、山部（Ｑ）の内径及び谷部（Ｐ）の内径が復元する力が働き、または下面が上記の操作で屈曲状態となっていたものを伸展状態に復元して安心した状態となる。従って常に圧縮力を加えておかなくとも、この短縮状態を保つようになることができたのである。
【００３８】
而して、上記コップ本体（１）を押し潰そうとする力は上記のように蛇腹状（９）部の上面に伝わり、該上面は湾曲状であるから当然のこと乍ら、上面の直線状より長く、その分押し潰された上面はその内端が環状の窪み（Ｒ）の上方を押圧する。その結果、図１４のようにかかる環状の窪み（Ｒ）の中心位置（Ｘ）は下方に回動（移動）する作用（Ｘ’）をなすのであって、それは各蛇腹（２）状の上面と下面とを容易に重合させる作用力として働くことになるから、さらに比較的少い力で極く容易に本発明コップ本体（１）を折り畳んだ状態とすることができたのである。
【００３９】
なお、図１３に示した上記湾状の凹み（Ｕ），（Ｔ）の存在は、上記環状の窪み（Ｒ）の作用を更に増長させるもので、それだけ本発明のコップ本体（１）を縮小させる場合、僅かな力でそれも各蛇腹状（２）部が確実に重り合った状態で、コップ本体（１）の高さを頗る縮小できるようになったのである。
【００４０】
この外本発明のコップ本体（１）は度重なる実験で、その高さ（容積）が１／３乃至１／４以下となり、このコップ本体（１）を成型工場から充填工場に運ぶときはその容量を小さく、充填工場では元の状態になる容積まで内容物を充填でき、飲んでいる際はそのコップ本体を湾曲させたり、その飲み量に応じて縮められ、かつ破棄するときはその容量を“０”に近い状態に縮めるなどの度々の伸縮作用や湾曲折り曲げ作用に耐えられる構造となっているのである。
【００４１】
なお上記コップ本体（１）の襞は巾広のアダムスキー型のＵＦＯのような形状をしており、従って水平方向の上下に２分されていること上述の通りであり、その上面（ｎ）は巾広のアダムスキー型のＵＦＯ形状の内面も、下面の形状も外方向に突出したこの実施例では、上面が１８乃至２０ｍｍＲの湾状となっており、これに対して下面の形状は０.８ｍｍＲの山部（Ｑ）を介して直線状となっていることが重要なポイントである。
【００４２】
そして内径の小さな谷部（Ｐ）は圧縮圧力を受けて圧力応力が発生している。
【００４３】
この圧縮圧力が無くなると応力が開放されるように作用し、ジュースのような内容物が充填されると伸長状態に復元するのである。
【００４４】
なお、このコップ本体は携行することもでき、この場合、ハンドバッグの中でも容易に収容できるのである。またその蛇腹形状（９）は図５のように下方に向かって順次小径となるようなものでもよい。
【００４５】
さらに多くの飲料に用いられるコップ本体は、その商標や内容の説明あるいは出所を表す表示のフラットな掲載部分がコップ本体（１）の中間部に設けられるが、このような容器でも上記同様の作用効果がある。なおコップ本体（１）の蛇腹形状（９）は図１５のようなスパイラルなものとしてもよい。
【００４６】
以上述べたコップ本体（１）の主な効果は、コップ本体（１）を破棄する時、その容積を頗る小さくすることが出来るようにしたことであり、ゴミ箱などに収容できる個数を頗る増大させたことである。
【００４７】
またかかる縮小させたコップ本体（１）は、その使用後再び弁当容器本体（２）内に収容して破棄できるからかかるコップ本体（１）が嵩ることなくその搬送量を同時に多量に成しできるから、その回収費や清掃回収の為の人件費を、頗る軽減できたことである。
【００４８】
さらに本発明のコップ本体（１）は、その外観の形状の見栄えがよく、使用する者に多大な興味を持たせかつ、コップ本体（１）の蛇腹の形状が摩擦止めとなり、使用中にコップ本体（１）が滑り落下させたり、あるいは内容物を溢出させたりする虞も未然に防止できるのである。
【００４９】
また本発明によって潰された状態のコップ本体（１）といえどもその形状は意匠的に見栄えのよいもので、そのまま外の容器としても利用できるのである等々が知られている。
【００５０】
総して本発明の効果は上端部の飲み口部と、底部の小さい高さ方向の幅と、この飲み口部と高さ方向の幅とを除いて長手方向の全部或いは一部が水平方向の蛇腹状となしコップ本体に、該コップ本体内のジュースやミネラルウォーターを飲み干して、該コップ本体を破棄する時その容積を簡単な操作と少ない力で、幼児や老人でも頗る小さくすることが出来る容器を簡単に大量に製造できるようにしたことである。
【図面の簡単な説明】
【００５１】
【図１】コップ本体が収容された状態の弁当容器本体の横断面図
【図２】コップ本体を弁当容器本体から取り出し、引き伸ばした状態の弁当容器本体の横断面図
【図３】図１の平面図
【図４】引き伸ばした状態のコップ本体一実施例の正面拡大図
【図５】同コップ本体他の実施例の正面拡大図
【図６】コップ本体を引き伸ばしている状態の作用説明図
【図７】同襞の拡大断面作用説明図
【図８】襞の寸法を表す説明図
【図９】押し潰している段階の襞の説明図
【図１０】潰している状態の作用断面説明図
【図１１】他の実施例の襞の拡大断面作用説明図
【図１２】同作用説明の断面図
【図１３】同潰した状態の作用説明図
【図１４】同潰した状態の拡大作用説明図
【図１５】他の実施例のコップ本体の正面図
【符号の説明】
【００５２】
１      コップ本体
２      弁当容器本体
３      ご飯
４      おかず
５      ヒーター
６      収容部
７      タンク
８      茶
９      蛇腹状
２Ａ    第１段外径
２Ｂ    第２段外径
２Ｃ    第３段外径
ｈ１    上
ｈ２    下
Ｇ      手
Ｈ      手
Ｐ      谷部
【図１】
2006143284.tif 000003
【図２】
2006143284.tif 000004
【図３】
2006143284.tif 000005
【図４】
2006143284.tif 000006
【図５】
2006143284.tif 000007
【図６】
2006143284.tif 000008
【図７】
2006143284.tif 000009
【図８】
2006143284.tif 000010
【図９】
2006143284.tif 000011
【図１０】
2006143284.tif 000012
【図１１】
2006143284.tif 000013
【図１２】
2006143284.tif 000014
【図１３】
2006143284.tif 000015
【図１４】
2006143284.tif 000016
【図１５】
2006143284.tif 000017